(57)【要約】      （修正有）【課題】舌片を挿入する際に、記憶媒体用ディスクを損傷しないようにする。【解決手段】主片６の幅方向の寸法Ｌ１を、記憶媒体用ディスクＤの直径と同じかわずかに小さくする一方、上記幅方向に直交する方向は、記憶媒体用ディスクの直径に舌片８の幅を加えた寸法Ｌ２にし、かつ、両側片９，１０の折り返し部分に記憶媒体用ディスクの縁を覗かせて記憶媒体用ディスクの相対位置を特定するための位置決め穴１１，１２を形成し、この位置決め穴で位置決めされた記憶媒体用ディスクが、上記折り返した舌片に触れない位置を保つ構成にした。【選択図】図３
0003132328.tif 000002
【実用新案登録請求の範囲】
【請求項１】
記憶媒体用ディスクを覆う一対の主片を連接するとともに、一方の主片には舌片を連接し、他方の主片の両側には側片を連接し、上記側片を他方の主片側に折り返すとともに、これら側片を内側にして上記両覆い片を重ね合わせ、しかも、上記舌片を折り返された側片の内側に挿入して上記記憶媒体用ディスクを収納する記憶媒体用ディスクの収納ジャケットにおいて、上記主片の幅方向の寸法を、記憶媒体用ディスクの直径と同じかわずかに小さくする一方、上記幅方向に直交する方向は、記憶媒体用ディスクの直径に舌片の幅を加えた寸法あるいはその寸法以上にし、かつ、上記両側片の折り返し部分に記憶媒体用ディスクの縁を覗かせて記憶媒体用ディスクの相対位置を特定するための位置決め穴を形成し、この位置決め穴で位置決めされた記憶媒体用ディスクが、上記折り返した舌片に触れない位置を保つ構成にした記憶媒体用ディスクの収納ジャケット。
【考案の詳細な説明】
【技術分野】
【０００１】
この考案は、ＤＶＤ等の記憶媒体用ディスクを収納するための記憶媒体用ディスクの収納ジャケットに関する。
【背景技術】
【０００２】
この種の記憶媒体用ディスクの収納ジャケットとして、図４〜６に示したものが従来から知られている。この従来の収納ジャケットは、正方形にした一対の主片１，２を連接するとともに、これら主片１，２の一辺の長さを、記憶媒体用ディスクＤの直径とほぼ同じにしている。このようにした主片１，２のうちの一方の主片１であって両主片１，２の連接方向に直交する縁に舌片３を連接し、他方の主片２の両側のそれぞれに側片４，５を連接している。
【０００３】
上記のようにした収納ジャケットに記憶媒体用ディスクＤを収納するときには、先ず、両側片４,５を開いて、他方の主片２に上記ディスクＤを置くとともに、図５に示すように両側片４,５をディスクＤ側に折り曲げる。この状態から、上記両主片１,２を折り返してそれらを重ね合わせるとともに、上記舌片３を折り返しながら、その舌片３を他方の主片２と両側片４，５とによって形成される空間内に挿入する。
【０００４】
上記のように舌片３を他方の主片２と両側片４，５とによって形成される空間内に挿入すれば、両主片１,２が正方形で、しかも、その一辺が上記ディスクＤの直径とほぼ等しいので、舌片３が記憶媒体用ディスクＤと重なり合うことになる。このように舌片３と記憶媒体用ディスクＤとが重なり合う関係の中で、舌片３を挿入すれば、当然のこととして、舌片３と記憶媒体用ディスクＤの表面とがこすり合わされる。
【特許文献１】実用新案登録第３０８７２３７号公報
【考案の開示】
【考案が解決しようとする課題】
【０００５】
上記のようにした従来の記憶媒体用ディスクの収納ジャケットは、最後に舌片３を挿入するときに、その舌片３と記憶媒体用ディスクＤの表面とがこすり合わされるので、記憶媒体用ディスクの表面に傷をつけてしまう。特に、舌片３の先端が少し立ち上がり気味の状態で、それが強制的に挿入されると、その先端によって記憶媒体用ディスクＤの表面が傷つけられやすくなる。
この考案の目的は、最後に舌片を挿入しても、記憶媒体用ディスクＤに傷をつけたりしない収納ジャケットを提供することである。
【課題を解決するための手段】
【０００６】
この考案は、記憶媒体用ディスクを覆う一対の主片を連接するとともに、一方の主片には舌片を連接し、他方の主片の両側には側片を連接し、上記側片を他方の主片側に折り返すとともに、これら側片を内側にして上記両覆い片を重ね合わせ、しかも、上記舌片を折り返された側片の内側に挿入して上記記憶媒体用ディスクを収納する記憶媒体用ディスクの収納ジャケットを前提にする。そして、上記主片の幅方向の寸法を、記憶媒体用ディスクの直径と同じかわずかに小さくする一方、上記幅方向に直交する方向は、記憶媒体用ディスクの直径に舌片の幅を加えた寸法あるいはその寸法以上にし、かつ、上記両側片の折り返し部分に記憶媒体用ディスクの縁を覗かせて記憶媒体用ディスクの相対位置を特定するための位置決め穴を形成し、この位置決め穴で位置決めされた記憶媒体用ディスクが、上記折り返した舌片に触れない位置を保つ構成にした点に特徴を有する。
【考案の効果】
【０００７】
この考案によれば、記憶媒体用ディスクを当該ジャケットに収納した状態では、記憶媒体用ディスクが位置決め穴によって位置決めされるとともに、そこでは記憶媒体用ディスクが折り返した舌片に触れない位置関係を保つので、舌片を挿入する際に記憶媒体用ディスクを損傷したりしなくなる。
【考案を実施するための最良の形態】
【０００８】
図１〜３に示した実施形態は、長方形にした一対の主片６，７を連接するとともに、これら主片６，７のうちの一方の主片６であって両主片６，７の連接方向に直交する縁に舌片８を連接し、他方の主片７の両側のそれぞれに側片９，１０を連接している。
そして、主片６，７の幅方向の寸法Ｌ１は、記憶媒体用ディスクＤの直径と同じかわずかに小さくしている。また、上記幅方向に直交する方向の長さＬ２は、上記舌片８の長さをＬ３とすると、Ｌ２≧Ｌ１＋Ｌ３の関係を保つようにしている。
【０００９】
一方、上記他方の主片７と両側片９,１０との境界部分の折れ線上には、その折れ線に沿った長孔からなる位置決め穴１１,１２を形成している。そして、他方の主片７に記憶媒体用ディスクＤを置き、その上から側片９,１０をかぶせるようにして覆ったとき、上記位置決め穴１１，１２から記憶媒体用ディスクＤの縁が覗くようにしている。このように位置決め穴１１,１２から記憶媒体用ディスクＤの縁が覗けば、当該ディスクＤがしっかりと位置決めされることになる。
【００１０】
上記のように記憶媒体用ディスクＤが位置決め穴１１,１２で位置決めされたときには、図３に示すように、記憶媒体用ディスクＤが両主片６，７の折り返し部分に接するとともに、その折り返し部分とは反対側において、舌片８の長さＬ３よりも大きな挿入代Ｌ４が確保されるようにしている。
【００１１】
したがって、記憶媒体用ディスクＤを収納して最後に舌片８を挿入しても、上記のように挿入代Ｌ４が確保されているので、当該舌片８が記憶媒体用ディスクＤに接触することはない。舌片８が記憶媒体用ディスクＤに接触することはないので、舌片８によって記憶媒体用ディスクＤの表面が損傷されたりしなくなる。
【図面の簡単な説明】
【００１２】
【図１】収納ジャケットの展開図である。
【図２】収納ジャケットの折り曲げ状態の斜視図である。
【図３】記憶媒体用ディスクを収納した状態の平面図である。
【図４】従来の収納ジャケットの展開図である。
【図５】従来の収納ジャケットの折り曲げ状態の斜視図である。
【図６】従来の記憶媒体用ディスクを収納した状態の平面図である。
【符号の説明】
【００１３】
Ｄ            記憶媒体用ディスク
６，７        主片
８            舌片
９，１０      側片
１１，１２    位置決め穴
【図１】
0003132328.tif 000003
【図２】
0003132328.tif 000004
【図３】
0003132328.tif 000005
【図４】
0003132328.tif 000006
【図５】
0003132328.tif 000007
【図６】
0003132328.tif 000008